(57)【要約】【課題】容易に取り外し可能なラックトレーでラックを受けることができる食器洗浄機を提供する【解決手段】ラックトレー１２の底面部の洗浄機本体３側には扉５の内面部１０に形成された係止部と係止する突起部１８が左右２箇所にそれぞれ設けられ、扉５の内面部１０の洗浄機本体３側における各隅角部には、前記突起部１８と対応する係止部としての切欠き２１がそれぞれ設けられている。ラックトレー１２の突起部１８を扉５の切欠き２１に対して位置合わせを行い、その上でラックトレー１２を扉５の内面部１０に載置することで突起部１８と切欠き２１とが係止され、ラックトレー１２の扉５に対する固定が為される。【選択図】        図５
2004174140.tif 000002
【特許請求の範囲】
【請求項１】
食器洗浄機本体内部に設けられた洗浄槽と、該洗浄槽の前面開口部を開閉する扉と、前記洗浄槽に収納され食器を収容するラックと、前記ラックを収容し、前記扉を前方に開放させた状態でその上面に着脱可能に載置できるラックトレーとを備え、該ラックトレーを載置した状態で前記ラックを前記開口部から引き出し可能に設けた食器洗浄機において、
前記扉内面部と、前記ラックトレーの前記扉内面部と対向する底面部のどちらか一方に突起部を設け、他方に前記突起部に係止する係止部を設けたことを特徴とする食器洗浄機。
【請求項２】
前記突起部及び係止部は、前記扉内面部における食器洗浄機本体側端部と、前記ラックトレーの前記扉内面部と対向する底面部における食器洗浄機本体側端部とに設けたことを特徴とする請求項１に記載の食器洗浄機。
【発明の詳細な説明】
【０００１】
【発明が属する技術分野】
本発明は、食器洗浄機に関し、更に詳細には、洗浄の終わったラックを取り出して別の場所へ移動させる際に、容易に取り外し可能なラックトレーでラックを受けることができるラック取り出し構造に関するものである。
【０００２】
【従来の技術】
飲食に供した後の皿、茶碗、コップ等の食器を自動的に洗浄するための食器洗浄機が、喫茶店やレストラン等の厨房、更には一般家庭にも設置されて、広く好適に使用されるに至っている。前記厨房では、図６（ａ）、（ｂ）、（ｃ）に示す如く、洗浄機本体３の前面に開閉可能な扉５を設けた食器洗浄機１が、残飯を処理したり食器４に付着している大きな異物を除去するのに用いられるシンクを備えた作業台（図示せず）の近傍に設置されることが多い。そして、前記作業台または洗浄機本体３の天板７上にラック９を載置しておき、前洗い処理された食器４をラック９に収容セットした後、ラック９を食器洗浄機１に前から入れて洗浄している。また、洗浄後の食器４を収容したままのラック９の置き台としても前記作業台または洗浄機本体３の天板７は利用されている。
【０００３】
更に、前記食器４を収容したラック９を持ち運ぶ際、または前記作業台等へのラック９の設置時に、食器４に付着している残物（スープの残りやソース等）や、前記シンク内で前洗いしたときの洗浄水、または洗浄時のすすぎ水が滴下して床面を濡らすことから、ラック下部に滴下した水滴を受けるための水受け用トレーを備えた食器洗浄機が知られている（例えば、特許文献１及び２参照）。
【０００４】
【特許文献１】
特開平１１−３１８７９５号公報
【特許文献２】
実開平１−１０１４８０号公報
【０００５】
【発明が解決しようとする課題】
しかしながら、前述した従来の食器洗浄機においては、カゴ及び水受け用トレーを支持するための支持部材の構造が複雑でコストが嵩むという問題があった。また、支持部材が無い場合、ラックを引き出した際に水受け用トレーまでもが動いてしまう問題があった。
【０００６】
【発明の目的】
そこで本発明は、従来の食器洗浄機のラック取り出し構造に内在している前記問題点を好適に解決するため提案されたものであって、構造が簡単で着脱が容易なラック取り出し構造を備えた食器洗浄機を提供することを目的とする。
【０００７】
【課題を解決するための手段】
前記課題を克服し、所期の目的を達成するために、本発明に係る食器洗浄機は、
食器洗浄機本体内部に設けられた洗浄槽と、該洗浄槽の前面開口部を開閉する扉と、前記洗浄槽に収納され食器を収容するラックと、前記ラックを収容し、前記扉を前方に開放させた状態でその上面に着脱可能に載置できるラックトレーとを備え、該ラックトレーを載置した状態で前記ラックを前記開口部から引き出し可能に設けた食器洗浄機において、
前記扉内面部と、前記ラックトレーの前記扉内面部と対向する底面部のどちらか一方に突起部を設け、他方に前記突起部に係止する係止部を設けたことを特徴とする。
【０００８】
また、本発明に係る食器洗浄機は、
前記突起部及び係止部は、前記扉内面部における食器洗浄機本体側端部と、前記ラックトレーの前記扉内面部と対向する底面部における食器洗浄機本体側端部とに設けたことを特徴とする。
【０００９】
【発明の実施の形態】
次に本発明に係る食器洗浄機につき、これを具体化した実施形態を添付図面に基づいて説明する。なお、図１を参照して説明した既出の部材と同一の部材については、同じ符号で指示してその説明は省略する。
【００１０】
先ず、本実施形態に係る食器洗浄機を、図１および図２を参照して説明する。図１に示す食器洗浄機において、洗浄機本体３の前面に、扉５の幅方向両下端部が回動可能枢支され、該扉５を手前側に回動して本体開口部８を開放することで、洗浄機本体３の内部に画成された洗浄槽６に、食器が収容セットされたラック９を収納し得るよう構成される。洗浄槽６の内部には、温水供給源から圧力供給される温水の噴射反力により回転する洗浄ノズルおよび洗浄終了後にすすぎ水を供給するすすぎノズル（何れも図示せず）が、ラック９の収納位置を挟む上下に離間して配設されている。洗浄およびすすぎ終了後、次の食器をセットすべく扉５を手前に開放し、開放された扉５の内面部１０に図２に示すラックトレー１２を載置する。その後、濡れたラック９を扉５の内面部１０上に載置されたラックトレー１２の上に引き出し、ラックトレー１２毎ラック９を持ち上げて移動させることで、ラック９からの滴下水が床面に落ちないよう構成されている。
【００１１】
ここで、ラックトレー１２およびラックトレー１２の扉５への固定構造を図２乃至図５を参照して説明する。ラックトレー１２は図２に示すように、ラック９を収容するため凹状に形成され、その底部にはラック９を載置するための断面山型形状の載置部１４が所定間隔を有して複数設けられている。そして、各載置部１４間には前記食器およびラック９からの滴下水を受けて貯留する貯留部１５が設けられている。また、ラックトレー１２の正面側には洗浄機本体３の開口部８下端に当接するズレ防止用のストッパ１６が設けられ、このストッパ１６が洗浄機本体３の開口部８下端に当接した状態でラックトレー１２内から洗浄槽６内へラック９が挿入される。更に、ラックトレー１２を持ち運ぶための把持部１７が左右２箇所にそれぞれ設けられ、底面部の洗浄機本体３側には後述する扉５の内面部１０に形成された係止部と係止する突起部１８が左右２箇所にそれぞれ設けられている。なお、前記載置部１４には傾斜が設けてあり、図３に示すように、ラック９を載せた際に、ラック９および食器も傾斜し、水滴が落ち易い構成となっている。
【００１２】
また、扉５は図４に示すように、前記ラックトレー１２を載置する平面状の内面部１０と、扉５を閉じた場合に洗浄機本体３の開口部８を閉塞した状態に保持する保持部材２０が設けられている。更に、前記内面部１０の洗浄機本体３側の各隅角部には、前記突起部１８と対応する係止部としての切欠き２１がそれぞれ設けられている。
【００１３】
また、前記ラックトレー１２を扉５に固定する方法は図５に示すように、ラックトレー１２の突起部１８を扉５の切欠き２１に対して位置合わせを行い、その上でラックトレー１２を扉５の内面部１０に載置することで突起部１８と切欠き２１とが係止され、ラックトレー１２の扉５に対する固定が為される。その上で洗浄槽６からラック９を引き出し、ラックトレー１２内にラック９を収容する。ラック９を引き出す際には、ラック９の底面がラックトレー１２のストッパ１６の上端部および載置部１４に対して摺動するため、ラックトレー１２は引き出し方向に圧力が加えられるが、突起部１８と切欠き２１とにより係止されているため、ラックトレー１２がズレ動くことはない。また、ラック９を収容したラックトレー１２を持ち運ぶ際には、図３に示す如くラックトレー１２の把持部１７とラック９の把持部２２は同じ位置にあるため、同時に持つことができ、ラック９とラックトレー１２とを特に固定する部材は必要無い。
【００１４】
このように、ラックトレー１２の底面部に突起部１８を設け、扉５の内面部１０に切欠き２１を設けるだけの簡単な構成でラックトレー１２の扉５に対する固定を容易にすることができ、従来のような複雑な支持部材は必要無いのでコストを低廉に抑えることができる。また、ラック９を洗浄槽６内から引き出す際にラックトレー１２がズレ動くことが防止される。また、ズレ防止用のストッパ１６を設けたことで、ラック９を洗浄槽６内へ挿入する際にラックトレー１２がズレ動くことが防止される。また、ラック９をラックトレー１２に収容した際に、ラックトレー１２の把持部１７とラック９の把持部２２とが同じ位置となるようにしたため、持ち運ぶ際にラック９とラックトレー１２との固定部材は必要なく、更に、ラック９を持ち運ぶ際に食器およびラック９からの滴下水をラックトレー１２で受けることができ、床面およびラック９の設置面を濡らすことは無い。また、突起部１８および切欠き２１を洗浄機本体３側端部に設けたことにより、ラック９を引き出す際の圧力は突起部１８と切欠き２１とに掛かり、ラックトレー１２全体に掛かることが防止され、ラックトレー１２の製品寿命を延ばすことができる。
【００１５】
なお、本発明は前述した実施形態の内容に限定されるものではなく、本発明の要旨を逸脱しない範囲内で種々の改良、変形が可能である。例えば、突起部を扉の内面部に設け、突起部の係止部である切欠きをラックトレーに設けても良い。また、係止部として、切欠きではなく突起部の形状に合った嵌合孔を設け、そこに突起部を挿入するようにしても良い。
【００１６】
【発明の効果】
以上説明した如く、本発明に係る食器洗浄機によれば、ラックトレーに突起部と、扉に係止部とを設けたことで、構造が簡単で容易に取り外し可能なラックトレーでラックを受けることができるラック取り出し構造を備えた食器洗浄機を提供することができる。また、突起部および係止部を洗浄機本体側端部に設けたことにより、ラックトレー全体に圧力が掛かることが防止され、ラックトレーの製品寿命を延ばすことができる。
【図面の簡単な説明】
【図１】本発明の実施の形態に係る食器洗浄機の開扉状態を示す図である。
【図２】実施の形態に係るラックトレー構造を示す展開図である。
【図３】実施の形態に係るラックをラックトレー内に収容した状態を示す図である。
【図４】実施の形態に係る食器洗浄機扉構造を示す図である。
【図５】実施の形態に係るラックトレーの組み付け方法を示す図である。
【図６】食器洗浄機へのラックの収納状態を示す図である。
【符号の説明】
１                食器洗浄機
３                食器洗浄機本体
５                扉
９                ラック
１０                内面部
１２                ラックトレー
１８                突起部
２１                切欠き
【図１】
2004174140.tif 000003
【図２】
2004174140.tif 000004
【図３】
2004174140.tif 000005
【図４】
2004174140.tif 000006
【図５】
2004174140.tif 000007
【図６】
2004174140.tif 000008